(57)【要約】【課題】変動時間短縮ボタンを操作した場合でも抽選にかかわる報知を行えるようにする。【解決手段】ＣＰＵ２００は変動時間短縮ボタン２０６が操作されたことを検出すると（Ｓ３０）、抽選に関して報知すべき内容（リーチ状態等）を決定し（Ｓ４５，Ｓ５５，Ｓ６０）特別図柄表示装置１００で、その報知情報を表示した後（Ｓ７０）、特別図柄の変動表示を停止させる（Ｓ１００）。【選択図】        図１
2004201974.tif 000002
【特許請求の範囲】
【請求項１】
変動時間短縮ボタンおよび特別図柄表示装置、遊技状態を制御する制御部を有し、前記特別図柄表示装置において特別図柄を変動表示し、前記変動時間短縮ボタンの遊技者の操作に応じて前記制御部が前記特別図柄の変動表示を停止させ、最終停止の特別図柄の組み合わせにより少なくとも抽選の結果を遊技者に報知するパチンコ遊技機の特別図柄変動表示方法において、
遊技者に報知すべき前記抽選にかかわり、その表示時間が所定時間以内の報知情報が前記特別図柄表示装置に予め記憶されており、
前記制御部は、
前記変動時間短縮ボタンの操作の有無を検知し、
判定結果が操作有りの場合には、前記特別図柄表示装置に前記報知情報を表示させ、
当該報知情報の表示の後に、前記特別図柄の変動表示を停止させる
ことを特徴とするパチンコ遊技機の特別図柄変動表示方法。
【請求項２】
請求項１に記載のパチンコ遊技機の特別図柄変動表示方法において、前記報知情報はノーマルリーチおよびスーパーリーチのいずれかのリーチ状態を報知するための報知情報を含み、前記制御部は抽選結果が当たりおよびはずれのいずれにかかわりなく、ノーマルリーチおよびスーパーリーチのそれぞれに対応した報知情報を前記変動時間短縮ボタンの操作に応じて表示させることを特徴とするパチンコ遊技機の特別図柄変動表示方法。
【請求項３】
請求項１または２に記載のパチンコ遊技機の特別図柄変動表示方法において、前記報知情報は前記抽選結果がはずれの場合（リーチ状態を除く）のための報知情報を含み、前記制御部は前記抽選結果がはずれの場合（リーチ状態を除く）には、当該はずれの場合のための報知情報を表示させることを特徴とするパチンコ遊技機の特別図柄変動表示方法。
【請求項４】
請求項１に記載のパチンコ遊技機の特別図柄変動表示方法において、前記報知情報には現在の抽選より先の時点の当たり予告を報知するための報知情報を含み、前記制御部は当たり予告の要否を判定し、当たり予告の要の判定が得られた場合に前記変動時間短縮ボタンの操作に応じて当該当たり予告を報知するための報知情報を表示させることを特徴とするパチンコ遊技機の特別図柄変動表示方法。
【発明の詳細な説明】
【０００１】
【発明の属する技術分野】
本発明は、変動時間短縮ボタンを有するパチンコ遊技機の図柄変動表示方法に関する。
【０００２】
【従来の技術】
従来、変動時間短縮ボタンを有するパチンコ遊技機が知られている（たとえば特許文献１）。変動時間短縮ボタンとは、抽選用の特別図柄の変動表示を遊技者の操作により停止させるボタンのことである。
【０００３】
【特許文献１】
特開平６−１３４１０２号公報
【０００４】
【発明が解決しようとする課題】
変動時間短縮ボタンを遊技者が操作すると特別図柄の変動表示が停止し、特別図柄の組み合わせによる抽選結果が遊技者に報知される。しかしながら、遊技者がいつ変動時間短縮ボタンを操作するかはパチンコ遊技機では分からないので、特別図柄の変動表示の間に、抽選に関連する報知情報、たとえば、通常変動、リーチ、スーパーリーチが発生する旨を報知するための情報を、たとえば、種々のアニメーションの形態で遊技者に報知しようとすることを考えた場合、遊技者が上記変動時間短縮ボタンを早く操作すると、アニメーションの表示が行われない。したがって、遊技者は図柄変動が停止時に抽選の結果でしか抽選に関する情報が得られないという問題があった。
【０００５】
そこで、本発明の目的は、変動時間短縮ボタンを遊技者が操作した場合でも、遊技者に対して抽選に関連する情報を報知することができるパチンコ遊技機の特別図柄変動表示方法を提供することにある。
【０００６】
【課題を解決するための手段】
このような目的を達成するために、請求項１の発明は変動時間短縮ボタン（２０６）および特別図柄表示装置（１００）、遊技状態を制御する制御部（ＣＰＵ２００）を有し、特別図柄表示装置において特別図柄を変動表示し、前記変動時間短縮ボタンの遊技者の操作に応じて前記制御部が前記特別図柄の変動表示を停止させ、最終停止の特別図柄の組み合わせにより少なくとも抽選の結果を遊技者に報知するパチンコ遊技機の特別図柄変動表示方法において、遊技者に報知すべき前記抽選にかかわり、その表示時間が所定時間以内の報知情報（ノーマルリーチ、スーパーリーチなど）が前記特別図柄表示装置に予め記憶されており、前記制御部は、前記変動時間短縮ボタンの操作の有無を検知し、（Ｓ３０）判定結果が操作有りの場合には、前記特別図柄表示装置に前記報知情報を表示させ、（Ｓ４５、Ｓ５５，Ｓ６０のいずれか）当該報知情報の表示の後に、前記特別図柄の変動表示を停止させる（Ｓ１００）ことを特徴とする。
【０００７】
請求項２の発明は、請求項１に記載のパチンコ遊技機の特別図柄変動表示方法において、前記報知情報はノーマルリーチおよびスーパーリーチのいずれかのリーチ状態を報知するための報知情報を含み、前記制御部は抽選結果が当たりおよびはずれのいずれにかかわりなく、ノーマルリーチおよびスーパーリーチのそれぞれに対応した報知情報を前記変動時間短縮ボタンの操作に応じて表示させることを特徴とする。
【０００８】
請求項３の発明は、請求項１または２に記載のパチンコ遊技機の特別図柄変動表示方法において、前記報知情報は前記抽選結果がはずれの場合（リーチ状態を除く）のための報知情報を含み、前記制御部は前記抽選結果がはずれの場合（リーチ状態を除く）には、当該はずれの場合のための報知情報を表示させることを特徴とする。
【０００９】
請求項４の発明は、請求項１に記載のパチンコ遊技機の特別図柄変動表示方法において、前記報知情報には現在の抽選より先の時点の当たり予告を報知するための報知情報を含み、前記制御部は当たり予告の要否を判定し、当たり予告の要の判定が得られた場合に前記変動時間短縮ボタンの操作に応じて当該当たり予告を報知するための報知情報を表示させることを特徴とする。
【００１０】
上記（）部は発明の理解のために対応する実施形態の例示のための構成部を示す。したがって、特許請求の範囲の請求項の構成要件を限定するものではない。
【００１１】
【発明の実施の形態】
以下、図面を参照して本発明の実施形態を詳細に説明する。
【００１２】
図１はパチンコ遊技機の制御部の回路構成を示す。
【００１３】
２００は主制御部（主制御装置）として機能するＣＰＵである。ＣＰＵ２００はＲＯＭ２０１およびＲＡＭ２０２を内蔵するＣＰＵチップを使用するが、ＲＯＭおよびＲＡＭはバス接続してもよい。
【００１４】
ＲＯＭ２０１には遊技機を制御するプログラムが記憶されている。このプログラムの中に、本発明に係わる変動表示およびその抽選にかかわるリーチ状態の報知のためのプログラム（図３）が含まれている。
【００１５】
ＲＡＭ２０２はＣＰＵ２００に対する入出力データや演算処理のためのデータ等を記憶する。２０３は入力ポートであり、後述の各回路からの信号を入力し、ＣＰＵ２００に転送する。２０４は特別図柄始動スイッチであり、特定の入賞口に設置される。特別図柄表示装置１００に表示される特別図柄（数字、イラストなど）が特定の組み合わせになり、上記特定の入賞口に遊技球が通過すると、特別図柄始動スイッチ２０４が作動し、ＣＰＵ２００で、変動入賞装置１０１の入賞口が開放する。
【００１６】
２０５は普通図柄作動スイッチであり、特定の入賞口に遊技球が通過すると、普通図柄作動スイッチ２０５が作動し、普通図柄表示装置１０３で数字が変動表示される。最終停止の数字の組み合わせにより、ＣＰＵ２００からの指示で入賞装置、たとえば、チューリップが開放される。２０６は本発明に係わる変動時間短縮ボタンであり遊技者が操作する。
【００１７】
２０７は遊技状態に応じて遊技機各部を作動させる従来から周知のその他スイッチ群である。２０８は図２の回路全体に電源を供給する電源回路である。１０１は変動入賞装置であり、ＣＰＵ２００からの指示で入賞口が開放／閉止する。２１０はその他、従来から周知の遊技機に設置された装置（回路を含む）である。
【００１８】
２１１は、遊技に関連するランプ表示装置であり、ＣＰＵ２００の指示で複数のランプを選択的に点灯／消灯させる。２１２には遊技に関連する音響を出力するスピーカーである。
【００１９】
図２は特別図柄表示装置１００の内部構成を示す。
【００２０】
図２において、３０１はＣＰＵであり、プログラムＲＯＭ３０６に記憶されたプログラムにしたがって、画像処理および画像表示制御を行う。
【００２１】
３０２は主制御部（ＣＰＵ）２００から、表示に関わる指令信号、本例では、表示する図柄のパターンを示す識別コードや表示に係わる種々のコマンドを受け付ける指示命令信号受信回路である。
【００２２】
３０３はキャラクタＲＯＭであり、特別図柄を表示するためのイメージ（組み合わせ図柄）を合成するためのたとえば、３次元物体に関するデータ、すなわち、３次元物体の形状を示す形状データ（ワイヤーフレームやオブジェクトと呼ばれる），色データ，３次元物体の表面に貼り付け（マッピング）するイメージ（テクスチャと呼ばれる）およびその３次元物体上の位置とイメージに対応の識別コード（特別図柄の識別番号）を記憶している。本実施形態では、通常変動、ノーマルリーチ、スーパーリーチなど抽選に係わる報知情報の種類を示すコマンドを主制御部１００から受信したときに、特別図柄表示装置１００側で受信したコマンドに対応する報知用画像データを表示画面に表示させるための２次元または３次元表示用のデータ（本発明の報知情報）もキャラクタＲＯＭ３０３に予め記憶されている。ここで、特筆すべきは、報知情報を表示する時点が変動時間短縮ボタン２０６が遊技者により操作された時点である点である。
【００２３】
３０４は画像処理用ＬＳＩ（集積回路）であり、ＬＣＤ（液晶）ディスプレイ３０５に表示するためのイメージをビデオＲＡＭ３０８上で合成すると共に、合成されたイメージをビデオＲＡＭ３０８から一定周期で読み出してＬＣＤディスプレイ３０５に対して出力する。
【００２４】
３０５はＬＣＤディスプレイであり、画像処理用ＬＳＩ３０４で合成されたイメージを表示する。３０６はプログラムＲＯＭであり、ＣＰＵ３０１が実行する画像処理のためのプログラムを記憶している。プログラムＲＯＭ３０６はＣＰＵ３０１が行う表示制御の内容を規定した表示制御プログラムを記憶している。
【００２５】
３０７はＲＡＭであり、ＣＰＵ３０１の演算処理に使用されるデータを一時記憶する。３０８はビデオＲＡＭであり、ビデオＲＡＭ３０８上で、表示するイメージを合成する。
【００２６】
図３はＣＰＵ２００が実行する制御手順の一部を示す。図３を参照しながら本発明にかかわる特別図柄の変動表示方法を説明する。
【００２７】
特別図柄始動スイッチ２０４が作動すると図３の制御手順がＣＰＵ２００において実行される。
【００２８】
ＣＰＵ２００は予め定められた特別図柄変動時間を時間カウンタに初期設定する（Ｓ１０）。なお、時間カウンタはソフトカウンタであり、カウンタの計測値がＲＡＭ２０２に記憶されるものとする。
【００２９】
ＣＰＵ２００は特別図柄の変動表示を開始させる（Ｓ２０）。具体的には、特別図柄表示装置１００で表示すべき特別図柄の種類を示すコマンドをＣＰＵ２００から特別図柄表示装置１００に送信する。
【００３０】
ＣＰＵ２００は、変動時間短縮ボタン２０６が操作されたか否かを変動時間短縮ボタン２０６からの入力信号のオン／オフレベルにより判定する（Ｓ３０）。遊技者が変動時間短縮ボタン２０６を操作していないと判定された場合（Ｓ３０がＮＯ判定）、手順はステップＳ３５に進み、ここで、時間カウンタが計時する特別図柄変動時間（ＲＡＭ２０２に記憶されている値）をデクリメント（減算）する。
【００３１】
手順はステップＳ９０に移行し、特別図柄変動時間が終了か否かを、すなわち、ＲＡＭ２０２に記憶されている値が０になったか否かに基づいて判定する。特別図柄変動時間が終了ではない場合には、手順はステップＳ９０からステップＳ３０に戻り、上述の手順を繰り返し実行する。以上のループ（繰り返し）処理を実行することで、特別図柄表示装置１００の表示画面では抽選用の特別図柄が変動表示される。また、並行して従来から周知の抽選用プログラムが実行され、抽選がおこなわれ、その抽選結果（最終停止すべき３つの特別図柄の組み合わせ）がＲＡＭ２０２に記憶される。
【００３２】
遊技者が変動時間短縮ボタン２０６を所定時間の間に操作しないと時間カウンタが計時する変動時間がタイムアップ（変動時間の値が０）となり、ステップＳ９０でその旨が検出される（ステップＳ９０の判定がＹＥＳ）。ＣＰＵ２００は特別図柄表示装置１００に最終停止図柄の種類を示すコマンドを送る。これにより特別図柄１００は変動表示を停止して指示された最終停止図柄を表示することにより抽選の結果を遊技者に報知する。
【００３３】
遊技者が所定時間の間に変動時間短縮ボタン２０６を操作した場合は、ステップＳ３０でその旨が検出される（Ｓ３０の判定結果がＹＥＳ）。これに応じて手順はステップＳ４０〜Ｓ５０の間で、抽選結果に対応した抽選関連の報知情報の種類内容が決定される。本実施形態では、通常変動（リーチ状態以外の特別図柄の組み合わせによるはずれ）を報知する報知情報、ノーマルリーチ状態（当たりおよびはずれに関係なく２つの特別図柄（スーパーリーチ以外の特別図柄）がそろった状態）を報知する報知情報、スーパーリーチ状態（当たりおよびはずれに関係なく、予め定めた特定の図柄が２つそろう状態）を報知する報知情報の３種類が用意されており、抽選の結果が示す最終停止の特別図柄の組み合わせが上記いずれの報知情報に対応するかをステップＳ４０〜Ｓ５０で判定する。
【００３４】
抽選の結果が通常変動に対応する特別図柄の組み合わせとなっている場合には、ステップＳ４０の判定結果がＹＥＳとなる。なお、ステップＳ４０判定結果がＮＯの場合は抽選結果が当たりおよびはずれに関係なくノーマルリーチかスーパーリーチのリーチ状態の判定結果となる。ＣＰＵ２００は手順をＳ４５に進める。ステップＳ４５で、ＣＰＵ２００は、通常変動報知のための演出画面の表示を指示するコマンドを設定してステップＳ７０で特別図柄表示装置１００に送信する。これにより、特別図柄表示装置１００には図４（Ａ）に示すような報知情報が表示される。次にＣＰＵ２００は特別図柄変動時間を０に設定する（ステップＳ８０）。これにより手順はステップ９０→Ｓ１００と進み、抽選結果から得られる最終停止図柄を指示するコマンドがＣＰＵ２００から特別図柄表示装置１００に送られる（Ｓ１００）。これにより特別図柄表示装置装置１００では特別図柄の変動を停止し、最終停止特別図柄によっても遊技者に抽選結果を報知する。
【００３５】
抽選結果の特別図柄の組み合わせがノーマルリーチの組み合わせに該当する場合には、手順はステップＳ５０→Ｓ５５へと進み、ここで、ノーマルリーチ変動報知演出画面を指示するコマンドが設定されて、ＣＰＵ２００から特別図柄表示装置１００に送られる（Ｓ５５→７０）。これにより特別図柄表示装置１００ではノーマルリーチのための報知情報を図４（Ｂ）に示すように報知する。
【００３６】
ＣＰＵ２００は、特別図柄変動時間を終了とすべく、０に設定し（Ｓ８０）、Ｓ９０の特別図柄変動時間の終了有無判定を経て、最終停止図柄を示すコマンドを特別図柄表示装置１００に送信する。これにより、特別図柄表示装置では最終停止図柄により抽選結果が報知される。
【００３７】
このようにノーマルリーチ状態を変動時間短縮ボタン２０６の操作後に報知して、その後に変動表示を停止させるので、遊戯者は抽選に係わる報知情報（この場合ノーマルリーチ）を入手することができる。
【００３８】
抽選結果の特別図柄の組み合わせがスーパーの組み合わせに該当する場合には、手順はステップＳ４０→Ｓ５０→Ｓ６０へと進み、ここで、スーパーリーチ変動報知演出画面を指示するコマンドが設定されて、ＣＰＵ２００から特別図柄表示装置１００に送られる（Ｓ６０→７０）。これにより特別図柄表示装置１００ではスーパーリーチのための報知情報を図４（Ｃ）に示すように報知する。
【００３９】
ＣＰＵ２００は、特別図柄変動時間を終了とすべく、０に設定し（Ｓ８０）、Ｓ９０の特別図柄変動時間の終了有無判定を経て、最終停止図柄を示すコマンドを特別図柄表示装置１００に送信する。これにより、特別図柄表示装置１００では最終停止図柄により抽選結果が報知される。
【００４０】
このようにスーパーリーチ状態を変動時間短縮ボタン２０６の操作後に報知して、その後に変動表示を停止させるので、遊戯者は抽選に係わる報知情報（この場合スーパーリーチ）を入手することができる。
【００４１】
上述の実施形態の他に次の形態を実施できる。
１）上述の実施形態では、報知情報は通常変動、ノーマルリーチ、スーパーリーチそれぞれ１種類である。そこで、たとえば、スーパーリーチについて予め表示時間の長さが異なる複数種類の報知情報を特別図柄表示装置１００のキャラクタＲＯＭ３０３内に用意しておく。
【００４２】
ＣＰＵ２００は変動時間短縮ボタン２０６の操作を検出すると（図３のＳ３０）、時間カウンタの示す変動時間の値の大きさを予め定めた複数種類の値とそれぞれ比較することにより、どの報知情報を報知するかを選択する。これにより遊技者の変動時間短縮ボタン２０６の操作が早い場合（時間カウンタが計時する変動時間が小）には、表示時間が長いスーパーリーチ用報知情報を特別図柄表示装置１００に表示させることができる。
【００４３】
また、遊技者の変動時間短縮ボタン２０６の操作が遅い場合（時間カウンタが計時する変動時間が大）の場合には、報知時間が短いスーパーリーチ用報知情報を特別図柄表示装置１００に表示させるとよい。ノーマルリーチについても同様のことを行うことができる。
【００４４】
２）通常変動の報知情報の表示時間はノーマルリーチやスーパーリーチの報知情報の表示時間よりも短くなるような報知情報を予め作成しておくとよい。また、通常変動の報知を行わないようにしてもよいことは勿論である。これらの報知情報の表示時間は所定時間以内とする。したがって、このような時間制限のある報知のために表示時間の短いフラッシュ表示を行うと効果的である。
【００４５】
３）変動時間短縮ボタンの操作に応じて報知する情報は上記ノーマルリーチ、スーパーリーチ、通常変動への移行のほか、抽選結果が当たりであること、確率変動への移行等の報知情報を用意するとよい。また、報知情報の中に現在の抽選より先の時点の当たり予告を報知するための報知情報を含ませ、制御部（ＣＰＵ２００）は当たり予告の要否を判定し、当たり予告の要の判定が得られた場合に変動時間短縮ボタン２０６の操作に応じて当該当たり予告を報知するための報知情報を表示させることもできる。
【００４６】
４）抽選に係わる情報の報知のために特別図柄表示装置１００による表示に加えて効果音をＣＰＵ２００の制御でスピーカー２１２から出力したり、ランプ表示装置２１１から強烈なランプ光を発生させるようにしてもよい。
【００４７】
【発明の効果】
以上、説明したように、本発明によれば、変動時間短縮ボタンが操作された後、抽選にかかわるリーチ状態を示す報知情報を表示し、その後で特別図柄の変動表示を停止させるので、従来のように、報知情報を表示できないということがない。また、リーチの種類に対応した報知情報の表示や通常変動への移行を示す報知情報（リーチ状態を除いたはずれを報知する報知情報）の表示や当たり予告の表示により遊技状態のゲーム効果をより高めることが可能となる。
【図面の簡単な説明】
【図１】本発明実施形態のパチンコ遊技機の制御部の回路構成を示すブロック図である。
【図２】特別図柄表示装置１００の内部構成を示すブロック図である。
【図３】図３はＣＰＵ２００が実行する制御手順の一部を示すフローチャートである。
【図４】（Ａ）〜（Ｃ）は抽選にかかわる報知情報の表示例を示す説明図である。
【符号の説明】
１００  特別図柄表示装置
２００  主制御部（ＣＰＵ）
２０１  ＲＯＭ
２０２  ＲＡＭ
２０６  変動時間短縮ボタン
【図１】
2004201974.tif 000003
【図２】
2004201974.tif 000004
【図３】
2004201974.tif 000005
【図４】
2004201974.tif 000006